(57)【要約】【課題】基地局装置で算出されるパスロスの誤差の修正期間を短縮する。【解決手段】基地局装置２は、移動局装置３の送信電力の閉ループ制御のために移動局装置３に送信される送信電力制御コマンドの累積値を保持する累積値記憶部２８と、累積値記憶部２８に保持される累積値と、移動局装置３に保持される送信電力制御コマンドの累積値と、の間の不一致を検出する検出部２９と、不一致が検出された場合に、累積値記憶部２８に保持される累積値と移動局装置３に保持される累積値とを同じ値に設定する累積値設定部（２７、２２、２４）を備える。【選択図】図４
2013236122.tif 000002
【特許請求の範囲】
【請求項１】
移動局装置の送信電力の閉ループ制御のために前記移動局装置に送信される送信電力制御コマンドの累積値を保持する累積値保持部と、
前記累積値記憶部に保持される累積値と、前記移動局装置に保持される送信電力制御コマンドの累積値と、の間の不一致を検出する検出部と、
前記不一致が検出された場合に、前記累積値記憶部に保持される累積値と前記移動局装置に保持される累積値とを同じ値に設定する累積値設定部と、
を備えることを特徴とする基地局装置。
【請求項２】
前記検出部は、前記累積値記憶部に記憶される累積値が閾値を超える場合に、前記不一致を検出することを特徴とする請求項１に記載の基地局装置。
【請求項３】
前記検出部は、前記移動局装置の送信電力を増加させる送信電力制御コマンドの連続送信回数が閾値を超える場合に、又は前記移動局装置の送信電力を低減させる送信電力制御コマンドの連続送信回数が閾値を超える場合に、前記不一致を検出することを特徴とする請求項１に記載の基地局装置。
【請求項４】
前記累積値設定部は、前記移動局装置が保持する累積値を指定値に設定する信号を移動局装置に送信し、前記累積値記憶部に記憶される累積値を前記指定値に更新することを特徴とする請求項１〜３のいずれか一項に記載の基地局装置。
【請求項５】
前記累積値設定部は、前記不一致が検出された場合に代えて、又は加えて、周期的に前記累積値記憶部に保持される累積値と前記移動局装置に保持される累積値とを所定値に設定する請求項１〜３のいずれか一項に記載の基地局装置。
【請求項６】
移動局装置の送信電力の閉ループ制御のために前記移動局装置に送信する送信電力制御コマンドの累積値を記憶部に保持し、
前記記憶部に保持される累積値と、前記移動局装置に保持される送信電力制御コマンドの累積値との間の不一致を検出し、
前記不一致が検出された場合に前記記憶部に保持される累積値と前記移動局装置に保持される累積値とを同じ値に設定する、ことを特徴とする送信電力制御方法。
【発明の詳細な説明】
【技術分野】
【０００１】
本明細書で論じられる実施態様は、移動局装置の送信電力制御方法に関する。
【背景技術】
【０００２】
移動体通信では、基地局装置が、ＴＰＣ（Transmission Power Control:送信電力制御）コマンドを用いて移動局装置の送信電力の閉ループ制御を行う。移動局装置は、ＴＰＣコマンドの累積値を保持し、送信電力の決定に使用する。一方で基地局装置でもＴＰＣコマンドの累積値を保持し、基地局装置と移動局装置との間のパスロスの算出に使用する。
【０００３】
移動局装置の送信電力制御に関して、ランダムアクセス手順後に、無線基地局によって保持されているＴＰＣコマンドの累積値と移動局によって保持されているＴＰＣコマンドの累積値とを一致させることが知られている。
【０００４】
他の関連する技術として、閉ループの送信電力制御を行うモードと、開ループの送信電力制御を行うモードを備える送信出力回路が知られている。送信出力回路は、検波信号データが、最大送信電力規定値となる範囲内にあると判定されたときと、検波信号データが、最小送信電力規定値となる範囲内にあると判定されたときに、送信側からの送信電力制御データを無視する。
【０００５】
他の関連する技術として、通信端末装置と基地局装置とを含む通信システムが知られている。通信端末装置は、受信信号に含まれるＴＰＣコマンド及び、一時的に送信を停止するスロットの前後の所定のスロットにおける送信電力を設定するための情報である送信電力設定用情報に基づいて所定のチャネルの送信電力を設定する送信電力設定手段を備える。通信端末装置は、送信電力設定手段にて設定された、一時的に送信を停止するスロットを除いた所定区間の送信電力に基づく送信電力の報告値を報告する送信電力報告手段を備える。基地局装置は、通信端末装置から報告値を受信する受信手段と、受信した報告値に基づいて、通信端末装置から基地局装置への送信をスケジューリングするスケジューリング手段を備える。
【先行技術文献】
【特許文献】
【０００６】
【特許文献１】特開２０１１−６１７０６号公報
【特許文献２】特開２００７−１８９７３６号公報
【特許文献３】特開２０１０−１６８５２号公報
【発明の概要】
【発明が解決しようとする課題】
【０００７】
基地局装置で保持するＴＰＣコマンドの累積値と移動局装置で保持するＴＰＣコマンドの累積値との間に不一致が生じることがある。この不一致は、例えば、セルエッジに位置する移動局装置がＴＰＣコマンドの受信に失敗する場合等に生じることがある。基地局装置と移動局装置とが保持するＴＰＣコマンドの累積値の間の不一致が生じると、基地局装置で算出するパスロスに誤差が生じる。パスロスの誤差は、移動局装置の送信電力の閉ループ制御で算出するＴＰＣコマンドの誤差を招くため、大きな誤差が生じたまま時間が経過すると、例えば、移動局装置の電力消耗が早くなる等の問題が発生する。
【０００８】
本明細書に記載の装置及び方法は、基地局装置で算出されるパスロスの誤差の修正期間を短縮することを目的とする。
【課題を解決するための手段】
【０００９】
装置の一観点によれば、基地局装置が与えられる。基地局装置は、移動局装置の送信電力の閉ループ制御のために移動局装置に送信される送信電力制御コマンドの累積値を保持する累積値保持部と、累積値記憶部に保持される累積値と、移動局装置に保持される送信電力制御コマンドの累積値と、の間の不一致を検出する検出部と、不一致が検出された場合に、累積値記憶部に保持される累積値と移動局装置に保持される累積値とを同じ値に設定する累積値設定部を備える。
【００１０】
方法の一観点によれば、送信電力制御方法が与えられる。送信電力制御方法は、移動局装置の送信電力の閉ループ制御のために前記移動局装置に送信する送信電力制御コマンドの累積値を記憶部に保持すること、記憶部に保持される累積値と、移動局装置に保持される送信電力制御コマンドの累積値との間の不一致を検出すること、不一致が検出された場合に記憶部に保持される累積値と移動局装置に保持される累積値とを同じ値に設定すること、を含む。
【発明の効果】
【００１１】
本件開示の装置又は方法によれば、基地局装置で算出されるパスロスの誤差の修正期間が短縮される。
【図面の簡単な説明】
【００１２】
【図１】通信システムの全体構成例を示す図である。
【図２】基地局装置のハードウエア構成の一例を示す図である。
【図３】移動局装置のハードウエア構成の一例を示す図である。
【図４】基地局装置の機能構成の一例を示す図である。
【図５】移動局装置の機能構成の一例を示す図である。
【図６】基地局装置の動作の第１例の説明図である。
【図７】基地局装置と移動局装置との間の信号シーケンスの第１例の説明図である。
【図８】（Ａ）はパスロスの変化の第１例を示す図であり、（Ｂ）はＴＰＣコマンドの状態の第１例を示す図であり、（Ｃ）及び（Ｄ）は基地局装置及び移動局装置が保持するＴＰＣコマンドの累積値を示す図である。
【図９】（Ａ）はパスロスの変化の第１例を示す図であり、（Ｂ）はＴＰＣコマンドの状態の第２例を示す図であり、（Ｃ）及び（Ｄ）は基地局装置及び移動局装置が保持するＴＰＣコマンドの累積値を示す図である。
【図１０】基地局装置と移動局装置との間の信号シーケンスの第２例の説明図である。
【図１１】基地局装置の動作の第２例の説明図である。
【図１２】（Ａ）はパスロスの変化の第２例を示す図であり、（Ｂ）及び（Ｃ）は基地局における受信強度の第１例及び第２例を示す図である。
【図１３】基地局装置と移動局装置との間の信号シーケンスの第３例の説明図である。
【発明を実施するための形態】
【００１３】
＜１．ハードウエア構成＞
以下、添付する図面を参照して好ましい実施例について説明する。図１は、通信システムの全体構成例を示す図である。通信システム１は、基地局装置２及び移動局装置３を備える。通信システム１は、例えば、３ＧＰＰ（Third Generation Partnership Project）で検討されるＬＴＥ(Long Term Evolution)方式の移動通信システムであってよい。以下の説明では、ＬＴＥ方式の移動通信システムにおける実施形態の例を示す。但し、本明細書に開示される装置及び方法は、ＴＰＣコマンドの累積値に基づき基地局装置３が算出したパスロスを用いて移動局装置の送信電力制御が行われる移動通信システムであれば、他の方式の移動通信システムでも適用可能である。なお、以下の説明において移動局装置及び基地局装置を単に「移動局」及び「基地局」と表記することがある。
【００１４】
＜１．１．基地局のハードウエア構成＞
次に、図２を参照して基地局２のハードウエア構成について説明する。基地局２は、プロセッサ１０と、記憶装置１１と、ベースバンド処理回路１２と、無線周波数信号処理回路１３と、デュプレクサ１４と、ネットワークインタフェース回路１５を備える。なお、以下の説明及び添付図面において、ベースバンド、無線周波数、デュプレクサ及びネットワークインタフェースを「ＢＢ」、「ＲＦ」、「ＤＵＸ」及び「ＮＩＦ」と表記することがある。
【００１５】
プロセッサ１０は、下記のＢＢ処理回路１２が行う処理以外のユーザ管理処理や基地局２の動作制御を行う。記憶装置１１には、プロセッサ１０によるＢＢ信号処理のための制御プログラムが格納される。またこれらのプログラムの実行中に使用される各データ及び一時データも記憶装置１１に格納される。
【００１６】
ＢＢ処理回路１２は、移動局３と基地局２との間で送受信される信号の符号化及び変調、並びに復調及び復号化、通信プロトコル処理、スケジューリングに関するＢＢ信号の処理を実施する。ＢＢ処理回路１２は、信号処理のためのプロセッサや、プロセッサの動作に使用されるプログラム及びデータを格納するためのメモリを備えていてもよい。プロセッサは、例えばDSP(digital signal processor)やCPU(Central Processing Unit: 中央処理ユニット)であってよい。またＢＢ処理回路１２は、信号処理のためのLSI（large scale integration）やASIC（Application Specific Integrated Circuit）、FPGA（Field-Programming Gate Array）等の論理回路を備えていてもよい。
【００１７】
ＲＦ信号処理回路１３は、ＤＵＸ１４を介して移動局３と基地局２との間で送受信される無線信号のデジタルアナログ変換、アナログデジタル変換、周波数変換、信号増幅及びフィルタリングを行う。ＮＩＦ回路１５は、固定回線網を経由した他の基地局や上位装置との信号の送受信のための信号処理を行う。
【００１８】
＜１．２．移動局のハードウエア構成＞
次に、図３を参照して移動局３のハードウエア構成の一例を説明する。移動局３はプロセッサ３０と、記憶装置３１と、ＢＢ処理回路３２と、ＲＦ信号処理回路３３と、ＤＵＸ３４を備える。プロセッサ３０は、ユーザデータを処理するアプリケーションプログラムを実行する。記憶装置３１には、プロセッサ３０による情報処理のためのアプリケーションプログラムが格納される。またこれらのプログラムの実行中に使用される各データ及び一時データも記憶装置３１に格納される。
【００１９】
ＢＢ処理回路３２は、移動局３と基地局２との間で送受信される信号の符号化及び変調、並びに復調及び復号化、通信プロトコル処理、移動局３による通信処理の制御に関するＢＢ信号の処理を実施する。ＢＢ処理回路３２は、信号処理のためのプロセッサや、プロセッサの動作に使用されるプログラム及びデータを格納するためのメモリを備えていてもよい。プロセッサは、例えばDSPやCPUであってよい。またＢＢ処理回路３２は、信号処理のためのLSIやASIC、FPGA等の論理回路を備えていてもよい。
【００２０】
ＲＦ信号処理回路３３は、ＤＵＸ３４を介して移動局３と基地局２との間で送受信される無線信号のデジタルアナログ変換、アナログデジタル変換、周波数変換、信号増幅及びフィルタリングを行う。
【００２１】
なお、図２及び図３に示すハードウエア構成は実施例の説明のための例示にすぎない。以下に記載される動作を実行するものであれば、本明細書に記載される通信システムは、他のどのようなハードウエア構成を採用してもよい。
【００２２】
＜２．第１実施例＞
＜２．１．基地局の機能構成＞
続いて、上記ハードウエア構成によって実現される機能について説明する。図４は、基地局２の機能構成の一例を示す図である。基地局２は、送受信部２０と、送信電力制御部２１と、アクセス処理部２２と、無線リソース制御接続制御部２３と、報知情報生成部２４を備える。以下の説明及び添付図面において、無線リソース制御を「ＲＲＣ」(Radio Resource Control)と表記することがある。
【００２３】
送受信部２０は、基地局２と移動局３との間で送受信される制御信号及びユーザトラフィックの無線信号の送受信処理、符号化処理、復号化処理、変調処理及び復調処理を行う。送信電力制御部２１は、移動局３の送信電力を制御する。送信電力制御部２１に関して更に後述で説明する。
【００２４】
アクセス処理部２２は、基地局２と移動局３との間のランダムアクセス手順における基地局２側の処理を実行する。ＲＲＣ接続制御部２３は、送受信部２０を介してＲＲＣプロトコルメッセージを移動局３と送受信し、ＲＲＣ接続及びＲＲＣ切断における基地局２側の処理を実行する。報知情報生成部２４は、システム情報を含んだ報知情報を生成し、送受信部２０を介して移動局３へ送信する。
【００２５】
送信電力制御部２１は、基地局２と移動局３の間のパスロスに基づき定めた目標信号帯雑音比（ＳＩＮＲ:Signal-to-Interference and Noise power Ratio）と受信信号のＳＩＮＲの差に基づき、移動局３の送信電力の閉ループ制御を行う。また、移動局３は、移動局３の送信電力の開ループ制御を行う。送信電力制御部２１は、送受信部２０を介して開ループ制御に用いられるパラメータを移動局３へ送信する。
【００２６】
このため送信電力制御部２１は、パラメータ生成部２５と、パスロス算出部２６と、ＴＰＣコマンド生成部２７と、累積値記憶部２８と、判定部２９を備える。パラメータ生成部２５は、移動局３による開ループ制御に使用されるパラメータを生成する。開ループ制御において、移動局３は次式（１）により送信電力ＰPUSCHを算出する。
【００２７】
ＰPUSCH＝ｍｉｎ｛ＰCMAX，１０×ｌｏｇ10（ＭPUSCH）＋ＰOPUSCH＋α×ＰＬ＋ΔTF＋ｆ（ｉ）｝      （１）
ここで、ＰCMAXは最大送信電力であり、ＭPUSCHは送信帯域幅であり、ＰOPUSCHは目標受信電力であり、αはフラクショナルＴＰＣの重み係数である。ＰＬは移動局３で測定されたパスロスであり、ΔTFはＭＣＳ (Modulation and Coding Scheme:変調及び符号化方式）に依存するオフセットであり、ｆ（ｉ）はＰＴＣコマンドの累積値である。パラメータ生成部２５は、例えば目標受信電力ＰOPUSCHや重み係数αなどのパラメータを生成し、送受信部２０を介して移動局３へ送信する。
【００２８】
パスロス算出部２６は、移動局３から送信される上りリンク電力ヘッドルームＵＰＨ（Uplink Power Headroom）に基づいて、次式（２）により基地局２と移動局３との間のパスロスＰＬを計算する。
ＰＬ＝（ＰCMAX−ＵＰＨ−１０×ｌｏｇ10（ＭPUSCH）−ＰOPUSCH−ΔTF−ｆ（ｉ））／α      （２）
ＵＰＨは、最大送信電力ＰCMAXと移動局３の送信電力ＰPUSCHとの差分であり、移動局３によって算出される。
【００２９】
ＴＰＣコマンド生成部２７は、パスロス算出部２６が求めたパスロスに基づいて目標ＳＩＮＲを算出する。ＴＰＣコマンド生成部２７は、目標ＳＩＮＲと移動局３からの受信信号のＳＩＮＲの差に基づき第１のＴＰＣコマンドを決定する。第１のＴＰＣコマンドは、移動局３の現在の送信電力に対して目標電力までの増減量を指定する相対値である。第１のＴＰＣコマンドの例は、ＬＴＥにおいて使用されるAccumulated δである。
【００３０】
Accumulated δは、下りリンク制御情報（DCI: Downlink Control Information）であるＤＣＩフォーマット０、３又は３Ａに格納されて送信される。ＤＣＩフォーマットで指定されるＴＰＣコマンドの値「０」、「１」、「２」及び「３」によって、それぞれ値「−１ｄＢ」、「０ｄＢ」、「１ｄＢ」及び「３ｄＢ」のAccumulated δが指定される。
【００３１】
ＴＰＣコマンド生成部２７は、送受信部２０を介して第１のＴＰＣコマンドを移動局３へ送信するとともに、送信済みの第１のＴＰＣコマンドの累積値ｆ（ｉ）を累積値記憶部２８に記憶する。以下の説明において、第１のＴＰＣコマンドの累積値を単に「累積値」と表記することがある。
【００３２】
判定部２９は、基地局２が保持する累積値ｆ（ｉ）と、移動局３が保持する累積値ｆ（ｉ）の不一致が発生しているか否かを判断する。例えば、判定部２９は、累積値記憶部２８に記憶される累積値ｆ（ｉ）が上限閾値Ｔｈ１より大きいか、下限しきい値Ｔｈ２よりも小さい場合に、基地局２及び移動局３がそれぞれ保持する累積値ｆ（ｉ）間で不一致が発生していると判断する。このような場合には、セルエッジに位置する移動局３がＴＰＣコマンドの受信に失敗し、基地局２が送信電力を増加させるＴＰＣを送り続けてたり、送信電力を減少させるＴＰＣを送り続けることが考えられるためである。
【００３３】
基地局２及び移動局３がそれぞれ保持する累積値ｆ（ｉ）間で不一致が発生していると判断される場合に、ＴＰＣコマンド生成部２７は、移動局３の累積値ｆ（ｉ）の値を指定値に設定する第２のＴＰＣコマンドを生成する。第２のＴＰＣコマンドの例は、ＬＴＥにおいて使用されるAbsolute δである。Absolute δは、ＤＣＩフォーマット０に格納されて送信される。ＤＣＩフォーマットで指定されるＴＰＣコマンドの値「０」、「１」、「２」及び「３」によって、それぞれ値「−４ｄＢ」、「−１ｄＢ」、「１ｄＢ」及び「４ｄＢ」のAbsolute δが指定される。
【００３４】
ＴＰＣコマンド生成部２７は、送受信部２０を介して第２のＴＰＣコマンドを移動局３へ送信するとともに、累積値記憶部２８に記憶される累積値ｆ（ｉ）の値を、第２のＴＰＣコマンドが示す値に設定する。この結果、移動局３が保持する累積値ｆ（ｉ）と、基地局２が保持する累積値ｆ（ｉ）とが一致する。累積値ｆ（ｉ）が一致すると、基地局２での式（２）のパスロス算出に使用される累積値ｆ（ｉ）と、パスロス算出に使うＵＰＨの算出に移動局３が使用した累積値ｆ（ｉ）とが一致するため、累積値ｆ（ｉ）の不一致によるパスロスの誤差が解消される。
【００３５】
基地局２と移動局３との間のパスロスが大きい期間では、第２のＴＰＣコマンドを送信しても移動局３が受信に失敗する恐れがある。このため、ＴＰＣコマンド生成部２７は、パスロス算出部２６が求めたパスロスを監視し、パスロスが所定の閾値Ｔｈ３未満になった場合に第２のＴＰＣコマンドを送信してもよい。
【００３６】
なお、以下の説明では、第１のＴＰＣコマンド及び第２のＴＰＣコマンドの例として、それぞれ Accumulated δ及び Absolute δを使用する。但し、これらの例示は、本明細書により記載される通信システムが、これらのＴＰＣコマンドAccumulated δ及びAbsolute δを使用するシステムに限定して適用されることを意図するものではない。
【００３７】
なお、送受信部２０の上記動作は、図２に示すプロセッサ１０とＲＦ信号処理回路１３が協働することによって実行される。送信電力制御部２１の上記動作は、ＢＢ処理回路１２によって実行される。アクセス処理部２２、ＲＲＣ接続制御部２３及び報知情報生成部２４の上記動作はプロセッサ１０によって実行される。累積値記憶部２８の記憶領域は、記憶装置１１内に確保されてもよく、ＢＢ処理回路１２内に確保されてもよい。
【００３８】
＜２．２．移動局の機能構成＞
図５は、移動局３の機能構成の一例を示す図である。移動局３は、送受信部４０と、送信電力制御部４１と、アクセス処理部４２と、ＲＲＣ接続制御部４３と、報知情報処理部４４を備える。送受信部４０は、基地局２と移動局３との間で送受信される制御信号及びユーザトラフィックの無線信号の送受信処理、符号化処理、復号化処理、変調処理及び復調処理を行う。送信電力制御部４１は、移動局３の送信電力を制御する。送信電力制御部４１に関して更に後述で説明する。
【００３９】
アクセス処理部４２は、基地局２と移動局３との間のランダムアクセス手順における移動局３側の処理を実行する。ＲＲＣ接続制御部４３は、送受信部４０を介してＲＲＣプロトコルメッセージを基地局２と送受信し、ＲＲＣ接続及びＲＲＣ切断における移動局３側の処理を実行する。報知情報処理部４４は、送受信部４０を介して基地局２から送信される報知情報を受信し、報知情報に含まれるシステム情報に従って移動局３の動作設定を行う。
【００４０】
送信電力制御部４１は、基地局２から送信されるＴＰＣコマンドに基づく移動局３の送信電力の閉ループ制御と、基地局２が受信するリファレンス信号の受信電力に基づく移動局３の送信電力の開ループ制御を行う。送信電力制御部４１は、パスロス測定部４５と、ＴＰＣコマンド処理部４６と、電力ヘッドルーム送信部４７と、累積値記憶部４８と、送信電力決定部４９を備える。
【００４１】
パスロス測定部４５は、下りリンクリファレンス信号の受信電力に基づいて基地局２と移動局３との間のパスロスを測定する。Accumulated δが受信された場合にＴＰＣコマンド処理部４６は、累積値記憶部４８に記憶された累積値ｆ（ｉ）に、Accumulated δが示す送信電力の増減量を加える。Absolute δが受信された場合にＴＰＣコマンド処理部４６は、累積値記憶部４８に記憶された累積値ｆ（ｉ）の値を、Absolute δが示す送信電力の値に変更する。
【００４２】
電力ヘッドルーム送信部４７は、基地局２から受信したパラメータと、パスロス測定部４５が測定したパスロスに基づいて上式（１）の送信電力ＰPUSCHを算出し、最大送信電力ＰCMAXと送信電力ＰPUSCHとの差分をＵＰＨとして算出する。電力ヘッドルーム送信部４７は、送受信部４０を介してＵＰＨを基地局２へ送信する。
【００４３】
送信電力決定部４９は、比較的長い周期において送受信部４０の送信電力の開ループ制御を行う。開ループ制御において送信電力決定部４９は、基地局２から受信したパラメータと、パスロス測定部４５が測定したパスロスに基づいて上式（１）の送信電力ＰPUSCHを決定する。
【００４４】
開ループ制御周期の間にＴＰＣコマンドが受信されると、送信電力決定部４９は、送受信部４０の送信電力の閉ループ制御を行う。すなわち、Accumulated δが受信された場合に送信電力決定部４９は、Accumulated δの値に応じて送受信部４０の送信電力を増減する。Absolute δが受信された場合に送信電力決定部４９は、Absolute δで指定されたｆ（ｉ）を用いて上式（１）の送信電力ＰPUSCHを決定する。
【００４５】
なお、送受信部４０の上記動作は、図３に示すプロセッサ３０とＲＦ信号処理回路３３が協働することによって実行される。送信電力制御部４１の上記動作は、ＢＢ処理回路１３２によって実行される。アクセス処理部４２、ＲＲＣ接続制御部４３及び報知情報制御部４４の上記動作はプロセッサ３０によって実行される。累積値記憶部４８の記憶領域は、記憶装置３１内に確保されてもよく、ＢＢ処理回路３２内に確保されてもよい。
【００４６】
また、図４及び図５の機能構成図は、本明細書において説明される基地局２及び移動局３の機能に関係する構成を中心に示している。基地局２及び移動局３は、図示の構成要素以外の他の構成要素を含んでいてよい。
【００４７】
＜２．３．基地局の動作＞
続いて、図６を参照して基地局２の動作を説明する。なお、図６を参照して説明する一連の動作は複数の手順を含む方法と解釈してよい。この場合に「オペレーション」を「ステップ」と読み替えてもよい。図７、図１０、図１１及び図１３に示す動作も同様である。オペレーションＡＡにおいてパスロス算出部２６は、移動局３から送信されるＵＰＨに基づいて基地局２と移動局３との間のパスロスを算出する。
【００４８】
オペレーションＡＢにおいてＴＰＣコマンド生成部２７は、パスロスが閾値Ｔｈ３未満であるか否かを判断する。パスロスが閾値Ｔｈ３未満である場合（オペレーションＡＢ：Ｙ）に処理はオペレーションＡＣへ進む。パスロスが閾値Ｔｈ３未満でない場合（オペレーションＡＢ：Ｎ）に処理はオペレーションＡＥへ進む。
【００４９】
オペレーションＡＣにおいて判定部２９は、累積値ｆ（ｉ）が上限閾値Ｔｈ１より大きいか、又は下限しきい値Ｔｈ２よりも小さいか否かを判断する。累積値ｆ（ｉ）が上限閾値Ｔｈ１より大きいか、又は下限しきい値Ｔｈ２よりも小さい場合（オペレーションＡＣ：Ｙ）に処理はオペレーションＡＤへ進む。累積値ｆ（ｉ）が上限閾値Ｔｈ１未満かつ下限しきい値Ｔｈ２以上の場合（オペレーションＡＣ：Ｎ）に処理はオペレーションＡＥへ進む。
【００５０】
オペレーションＡＤにおいてＴＰＣコマンド生成部２７は、移動局３にAbsolute δを送信する。その後に処理はオペレーションＡＡへ戻る。オペレーションＡＥにおいて移動局３にAccumulated δを送信する。その後に処理はオペレーションＡＡへ戻る。
【００５１】
図７は、上記の動作により生じる基地局２と移動局３との間の信号シーケンスの一例を示す。オペレーションＢＡ〜ＢＥにおいて、移動局３の送信電力の閉ループ制御が行われる。オペレーションＢＡにおいて、基地局２から移動局３へ下りリンクリファレンス信号ＲＳ (Reference Signal)が送信される。オペレーションＢＢにおいて移動局３は、リンクリファレンス信号ＲＳに基づき測定したパスロスに応じてＵＰＨを算出し、基地局２へ送信する。オペレーションＢＣにおいて基地局２は、ＵＰＨに基づき算出したパスロスに応じて Accumulated δを決定し、移動局３に送信する。
【００５２】
オペレーションＢＤ及びＢＥでも同様に、移動局３は基地局２へＵＰＨを送信し、基地局２は移動局３にAccumulated δを送信する。Accumulated δの送信により、基地局２及び移動局３においてＴＰＣコマンドが累積値ｆ（ｉ）に累積される。
【００５３】
判定部２９が、基地局２及び移動局３がそれぞれ保持する累積値ｆ（ｉ）間の不一致を検出すると、オペレーションＢＦにおいて基地局２は、移動局３にAbsolute δを送信する。Absolute δの送信により、基地局２及び移動局３がそれぞれ保持する累積値ｆ（ｉ）が同一になる。この結果、基地局２によるパスロス計算の誤差が解消される。その後の、オペレーションＢＧ〜ＢＫにおいて、上述のオペレーションＢＡ〜ＢＥと同様に移動局３の送信電力の閉ループ制御が行われる。
【００５４】
＜２．４．実施例の効果＞
本実施例によれば、基地局２及び移動局３がそれぞれ保持する累積値ｆ（ｉ）が一致するまでの期間が短くなり、その結果、基地局２で算出されるパスロスの誤差の修正期間が短縮される。図８の（Ａ）〜図８の（Ｄ）及び図９の（Ａ）〜図９の（Ｄ）を参照してこの様子を説明する。
【００５５】
図８の（Ａ）及び図９の（Ａ）は、基地局２及び移動局３の間のパスロスの時間変化を示す。時刻ｔ１〜ｔ２の間でパスロスが閾値Ｔｈ３を超えている。同様に時刻ｔ３〜ｔ４及び時刻ｔ５〜ｔ６の間でもパスロスが閾値Ｔｈ３を超えている。
【００５６】
図８の（Ｂ）及び図９の（Ｂ）は、基地局２から移動局３へ送信されるＴＣＰコマンドの模式図である。下矢印は送信電力を１ｄＢ減らすことを指示するAccumulated δを示す。比較的短い上矢印は送信電力を１ｄＢ増やすことを指示するAccumulated δを示す。比較的長い上矢印は送信電力を−１ｄＢに設定することを指示するAbsolute δを示す。図８の（Ｂ）はAbsolute δによる累積値ｆ（ｉ）の不一致の解消を行わない場合のＴＣＰコマンドの例である。図９の（Ｂ）はAbsolute δにより累積値ｆ（ｉ）の不一致を解消する場合のＴＣＰコマンドの例である。
【００５７】
図８の（Ｃ）及び図９の（Ｃ）は、基地局２に保持される累積値ｆ（ｉ）を示し、図８の（Ｄ）及び図９の（Ｄ）は、移動局３に保持される累積値ｆ（ｉ）を示す。パスロスが閾値Ｔｈ３を超える期間ｔ１〜ｔ２では、移動局３がＴＣＰコマンドの受信に失敗するため、基地局２と移動局３の累積値ｆ（ｉ）の間の差が「（−３）−（−３）＝０」から「３−（−３）＝６」まで拡大する。閾値Ｔｈ３を超える期間ｔ３〜ｔ４及びｔ５〜６の間でも、同様に基地局２と移動局３との間の累積値ｆ（ｉ）の差が拡大する。
【００５８】
図８の（Ｂ）に示すようにAbsolute δが用いられない場合に、累積値ｆ（ｉ）の不一致が生じると、時刻ｔ２から時刻ｔ３までの期間１００でパスロスが閾値Ｔｈ３未満となっても累積値ｆ（ｉ）の不一致が解消しない。パスロスが閾値Ｔｈ３未満となる時刻ｔ４から時刻ｔ５までの期間１０１及び時刻ｔ６以降の期間１０１でも同様である。
【００５９】
一方で、本実施例の基地局２は、図９の（Ｂ）に示すように、判定部２９が累積値ｆ（ｉ）の不一致を検出するとパスロスが閾値Ｔｈ３未満となる時刻ｔ２、ｔ４及びｔ６のタイミングでAbsolute δを送信する。このため図９の（Ｃ）及び図９の（Ｄ）に示す例では、期間１００、１０１及び１０２において、基地局２と移動局３の累積値ｆ（ｉ）が一致する。このように、本実施例によれば、Absolute δの使用により基地局２と移動局３の累積値ｆ（ｉ）の不一致が速やかに解消されることが判る。
＜２．５．変形例＞
以下、本実施例の変形例について説明する。判定部２９は、上記の判断に代えて又は加えて、送信電力を増加させる第１のＴＰＣコマンドが連続して所定閾値回数発生した場合に、基地局２及び移動局３が保持する累積値ｆ（ｉ）の不一致が生じていると判断してよい。また、判定部２９は、上記の判断に代えて又は加えて、送信電力を低減させる第１のＴＰＣコマンドが連続して所定閾値回数発生した場合に、基地局２及び移動局３が保持する累積値ｆ（ｉ）の不一致が生じていると判断してよい。
【００６０】
また、基地局２及び移動局３が保持する累積値ｆ（ｉ）の不一致が生じた場合に、Absolute δを送信する代わりに、基地局２と移動局３との間の同期を解除して、再度ランダムアクセスを実施してもよい。ランダムアクセスの実施により基地局２及び移動局３が保持する累積値ｆ（ｉ）がリセットされ、両者が一致する。
【００６１】
このため、基地局２及び移動局３がそれぞれ保持する累積値ｆ（ｉ）間の不一致を基地局２の判定部２９が検出すると、アクセス処理部２２は、送受信部２０を介して同期要求Sync Requestを移動局３に送信する。Sync Requestは、移動局３にランダムアクセス手順を開始させる指示信号である。
【００６２】
移動局３がSync Requestを受信すると、移動局３のアクセス処理部４２はランダムアクセス手順を開始する。アクセス処理部４２はランダムアクセスプリアンブルを基地局２に送信する。基地局２がランダムアクセスプリアンブルを受信すると、基地局２のアクセス処理部２２は、ランダムアクセス応答を移動局３に送信する。移動局３がランダムアクセス応答を受信すると、移動局３のアクセス処理部４２は、MAC（media access control:メディアアクセス制御）のMAC CE（Control Element:制御要素）を基地局２へ送信する。このMAC CEには、ランダムアクセスの前に移動局３が取得していたC-RNTI(Cell-Radio Netowrk Temporary Identifier:セル無線ネットワーク一時識別子)を含む。
【００６３】
基地局２がＭＡＣ  ＣＥを受信して移動局３を識別すると、基地局２のＲＲＣ接続制御部２３はＲＲＣ接続処理を開始する。このとき、基地局２の累積値記憶部２８に記憶される累積値ｆ（ｉ）の値が「０」にリセットされる。ＲＲＣ接続制御部２３は、移動局３へ、ＲＲＣプロトコルメッセージであるRRC Connect Reconfigurationを送信し、移動局３からRRC Reconfiguration Completeを受信することによって、移動局３との間のＲＲＣ接続に係る再構成処理を行う。
【００６４】
移動局３のＲＲＣ接続制御部４３は、基地局２からRRC Connect Reconfigurationを受信し、基地局２との間のＲＲＣ接続に係る再構成処理を行う。移動局３がRRC Connect Reconfigurationを受信すると、移動局３の累積値記憶部４８に記憶される累積値ｆ（ｉ）の値が「０」にリセットされる。この結果、実施により基地局２及び移動局３が保持する累積値ｆ（ｉ）が「０」にリセットされ、両者が一致する。ＲＲＣ接続の再構成処理が完了すると、ＲＲＣ接続制御部４３は基地局２へRRC Reconfiguration Completeを送信する。
【００６５】
図１０は、基地局２及び移動局３が保持する累積値ｆ（ｉ）の不一致が生じた際に、基地局２と移動局３とのランダムアクセスを実行させる場合の基地局２と移動局３との間の信号シーケンスの一例を示す。オペレーションＣＡ〜ＣＥにおいて、図７のオペレーションＢＡ〜ＢＥの動作と同様に移動局３の送信電力の閉ループ制御が行われる。
【００６６】
判定部２９が、基地局２及び移動局３がそれぞれ保持する累積値ｆ（ｉ）間の不一致を検出すると、オペレーションＣＦにおいて基地局２は、移動局３にSync Requestを送信する。Sync Requestの送信によって、ランダムアクセス手順が開始し基地局２及び移動局３のそれまでの同期が解除される。
【００６７】
Sync Requestを受信すると、オペレーションＣＧにおいて移動局３は基地局２へランダムアクセスプリアンブルを送信する。ランダムアクセスプリアンブルを受信すると、オペレーションＣＨにおいて基地局２は移動局３へランダムアクセス応答を送信する。ランダムアクセス応答を受信すると、オペレーションＣＩにおいて移動局３は、MAC CEを基地局２へ送信する。
【００６８】
その後、基地局２及び移動局３はＲＲＣ接続の再構成処理を開始する。オペレーションＣＪにおいて基地局２は、RRC Connect Reconfigurationメッセージを移動局３へ送信する。このとき基地局２の累積値記憶部２８に記憶される累積値ｆ（ｉ）の値が「０」にリセットされる。
【００６９】
移動局３がRRC Connect Reconfigurationメッセージを受信すると、移動局３の累積値記憶部４８に記憶される累積値ｆ（ｉ）の値が「０」にリセットされる。この結果、基地局２及び移動局３が保持する累積値ｆ（ｉ）が「０」にリセットされ両者が一致する。オペレーションＣＫにおいて移動局３は、RRC Connect Reconfiguration Completeメッセージを移動局３へ送信する。その後の、オペレーションＣＬ〜ＣＰにおいて、上述のオペレーションＣＡ〜ＣＥと同様に移動局３の送信電力の閉ループ制御が行われる。
【００７０】
＜３．第２実施例＞
続いて、通信システム１の他の実施例について説明する。基地局２と移動局３の間のパスロスは、移動局３の移動や移動局３の周囲の電波環境の変化に伴って変化する。パスロスの変化は、基地局２と移動局３の間の距離だけでなく、他の要因、例えば基地局２と移動局３の間の見通しなどの電波環境によっても変化する。このため、移動局３の移動の移動によって移動局３の電波環境とパスロスが急変すると、基地局２での受信強度が急激に変化することがある。
【００７１】
この場合の変化幅が大きいと、Accumulated δによる段階的な送信電力の調整では、送信電力が適正な値に至るまで時間がかかることがある。本実施例では、パスロスが急変した場合にもAbsolute δを送信してAccumulated δによる調整よりも早く移動局３の送信電力を変更する。
【００７２】
図１１は、基地局２の動作の第２例の説明図である。オペレーションＤＡにおいてＴＰＣコマンド生成部２７は、誤差許容範囲Δ１と、Accumulated δ適用範囲Δ２を設定する。パスロス算出部２６が算出したパスロスが誤差許容範囲Δ１内にある場合、ＴＰＣコマンド生成部２７は移動局３へＴＰＣコマンドを送信しない。ＴＰＣコマンド生成部２７は、パスロスが誤差許容範囲Δ１を超える場合に移動局３へＴＰＣコマンドを送信する。
【００７３】
パスロスがAccumulated δ適用範囲Δ２内にある場合、ＴＰＣコマンド生成部２７は移動局３へAccumulated δを送信する。パスロスがAccumulated δ適用範囲Δ２を超える場合、ＴＰＣコマンド生成部２７は移動局３へAbsolute δを送信する。
【００７４】
例えば、ＴＰＣコマンド生成部２７は、以前にパスロス算出部２６が算出したパスロス、例えば前回に算出したパスロスを基準値にして、上下所定幅の範囲を誤差許容範囲Δ１及び適用範囲Δ２として設定してよい。また例えば、ＴＰＣコマンド生成部２７は、過去に時間だけ遡った時点から現時点までのパスロスの移動平均を基準値にして、上下所定幅の範囲を誤差許容範囲Δ１及び適用範囲Δ２として設定してもよい。
【００７５】
オペレーションＤＢにおいて、パスロス算出部２６はパスロスを算出する。オペレーションＤＣにおいてＴＰＣコマンド生成部２７は、パスロスが誤差許容範囲Δ１内であるか否かを判断する。パスロスが誤差許容範囲Δ１内である場合（オペレーションＤＣ：Ｙ）に処理はオペレーションＤＨへ進む。パスロスが誤差許容範囲Δ１内でない場合（オペレーションＤＣ：Ｎ）に処理はオペレーションＤＤへ進む。
【００７６】
オペレーションＤＤにおいてＴＰＣコマンド生成部２７は、パスロスが適用範囲Δ２内であるか否かを判断する。パスロスが適用範囲Δ２内である場合（オペレーションＤＤ：Ｙ）に処理はオペレーションＤＥへ進む。パスロスが適用範囲Δ２内でない場合（オペレーションＤＤ：Ｎ）に処理はオペレーションＤＧへ進む。
【００７７】
オペレーションＤＥにおいて判定部２９は、累積値ｆ（ｉ）が上限閾値Ｔｈ１より大きいか、又は下限しきい値Ｔｈ２よりも小さいか否かを判断する。累積値ｆ（ｉ）が上限閾値Ｔｈ１より大きいか、又は下限しきい値Ｔｈ２よりも小さい場合（オペレーションＤＥ：Ｙ）に処理はオペレーションＤＧへ進む。累積値ｆ（ｉ）が上限閾値Ｔｈ１未満かつ下限しきい値Ｔｈ２以上の場合（オペレーションＤＥ：Ｎ）に処理はオペレーションＤＦへ進む。
【００７８】
オペレーションＤＦにおいて移動局３にAccumulated δを送信する。その後に処理はオペレーションＤＡへ戻る。オペレーションＤＧにおいてＴＰＣコマンド生成部２７は、移動局３にAbsolute δを送信する。その後に処理はオペレーションＤＡへ戻る。
【００７９】
オペレーションＤＨにおいて、判定部２９は、累積値ｆ（ｉ）が上限閾値Ｔｈ１より大きいか、又は下限しきい値Ｔｈ２よりも小さいか否かを判断する。累積値ｆ（ｉ）が上限閾値Ｔｈ１より大きいか、又は下限しきい値Ｔｈ２よりも小さい場合（オペレーションＤＨ：Ｙ）に処理はオペレーションＤＧへ進む。累積値ｆ（ｉ）が上限閾値Ｔｈ１未満かつ下限しきい値Ｔｈ２以上の場合（オペレーションＤＨ：Ｎ）に処理はオペレーションＤＡへ戻る。
【００８０】
本実施例によれば、パスロスが急激に変化した際にAbsolute δが移動局３に送信される。移動局３は、Absolute δを受信すると従前の累積値ｆ（ｉ）を破棄して、Absolute δで指定された累積値ｆ（ｉ）と移動局３で測定したパスロスに基づいて、上式（１）に従い送信電力ＰPUSCHを決定する。このため、送信電力が直ちに現在のパスロスに応じた適正な値に設定される。図１２の（Ａ）〜図１２の（Ｃ）を参照して、この様子を説明する。
【００８１】
図１２の（Ａ）はパスロスの変化の第２例を示す図である。実線が移動局３の周囲の電波干渉の変化に伴うパスロスの変化を示す。点線１１０は、誤差許容範囲Δ１及び適用範囲Δ２を設定する際のパスロスの基準値を模式的に示す。本例では、誤差許容範囲Δ１及び適用範囲Δ２を設定する際のパスロスの基準値にパスロスの移動平均を使用した場合を想定する。移動局３は基地局２から遠ざかっており、パスロスの基準値１１０は時間経過とともに増加する傾向を持つ。
【００８２】
点線１１１及び１１２は、それぞれ誤差許容範囲Δ１の上限及び下限を示す。点線１１３及び１１４は、それぞれ適用範囲Δ２の上限及び下限を示す。本例は、時刻ｔ１においてパスロスが急激に増加し適用範囲Δ２の上限１１３を上回り、時刻ｔ２においてパスロスが急激に減少し適用範囲Δ２の下限１１４を下回る場合を想定する。
【００８３】
図１２の（Ｂ）は、時刻ｔ１及びｔ２でAbsolute δを送信しなかった場合における基地局２における受信強度を示す。誤差許容範囲Δ１を超えることにより、基地局２はAccumulated δの送信を開始する。この結果、時刻ｔ１で急激に低下した受信電力は段階的に徐々に回復する。同様に時刻ｔ２で急激に増加した受信電力は段階的に徐々に回復する。
【００８４】
図１２の（Ｃ）は、時刻ｔ１及びｔ２でAbsolute δを送信した場合における基地局２における受信強度を示す。適用範囲Δ２を超えることにより、基地局２はAbsolute δを送信する。Absolute δの受信により、移動局３は変化後のパスロスに応じた適正な値に送信電力を設定するため、受信電力は直ちに回復する。
【００８５】
また、判定部２９は、累積値ｆ（ｉ）が上限閾値Ｔｈ１未満かつ下限しきい値Ｔｈ２以上の場合には、基地局２及び移動局３が保持する累積値ｆ（ｉ）の不一致が生じていてもこの不一致を検出しない。または、送信電力を増加させるAccumulated δの連続発生回数や、送信電力を減少させるAccumulated δの連続発生回数が閾値未満の場合に、判定部２９は、累積値ｆ（ｉ）の不一致を検出しない。
【００８６】
例えば、累積値ｆ（ｉ）の不一致は、上りリンクの無線リソースの設定時にも生じることがある。上りリンクの無線リソースの設定時には、基地局２及び移動局３との間で累積値ｆ（ｉ）のリセットタイミングに時間差がある。したがってこの間にＴＰＣコマンドが発行されると基地局２及び移動局３との間の累積値ｆ（ｉ）の不一致が生じる。この場合には、基地局２が送信電力を増加させるＴＰＣを送り続けたり、送信電力を減少させるＴＰＣを送り続けるわけではない。このため、判定部２９が累積値ｆ（ｉ）の不一致を検出するとは限らない。
【００８７】
例えば、上りリンク送信許可信号（UL Grant: Uplink grant)で割り当てた物理上りリンク共有チャネル（PUSCH: Physical Uplink Shared Channel）で、データ送信がない場合には、移動局３のみがＴＰＣコマンドを累積し、基地局２は累積しない。この結果、基地局２及び移動局３との間の累積値ｆ（ｉ）の不一致が生じる。この場合には、基地局２での累積値ｆ（ｉ）が変化しないので判定部２９が累積値ｆ（ｉ）の不一致を検出するとは限らない。
【００８８】
本実施例によれば、このように判定部２９が累積値ｆ（ｉ）の不一致を検出しない場合であっても、Absolute δの送信に伴い不一致が解消される。
【００８９】
＜４．第３実施例＞
続いて、通信システム１の他の実施例について説明する。上記のように、基地局２及び移動局３が保持する累積値ｆ（ｉ）の不一致が生じていても、判定部２９が不一致を検出しない状態が考えられる。そこで本実施例では、基地局２及び移動局３が周期的に累積値ｆ（ｉ）をリセットする。
【００９０】
基地局２の報知情報生成部２４は、基地局２及び移動局３が周期的に累積値ｆ（ｉ）をリセットするタイミングを示すタイミング情報を、システム情報として移動局３へ送信する。移動局３の報知情報処理部４４は、受信した報知情報からタイミング情報を取得する。基地局２のＴＰＣコマンド生成部２７及び移動局３のＴＰＣコマンド処理部４６は、このタイミング情報が指定する時刻に、累積値ｆ（ｉ）をリセットする。例えば、タイミング情報は、無線フレーム番号(SFN :System Frame Number)で、累積値ｆ（ｉ）をリセットする時刻を指定してもよい。タイミング情報は、周期的に到来する他のタイミングを指定する情報であってもよい。
【００９１】
図１３は、周期的に基地局２及び移動局３が保持する累積値ｆ（ｉ）をリセットさせる場合の基地局２と移動局３との間の信号シーケンスの一例を示す。オペレーションＥＡにおいて基地局２は、累積値ｆ（ｉ）のリセットタイミングを示す無線フレーム番号を指定するシステム情報を含んだ報知情報を送信する。オペレーションＥＢ〜ＥＦにおいて、図７のオペレーションＢＡ〜ＢＥの動作と同様に移動局３の送信電力の閉ループ制御が行われる。
【００９２】
システム情報で指定した無線フレームの送信時刻が到来すると、オペレーションＥＧ及びＥＨにおいて移動局３及び基地局２はそれぞれ累積値ｆ（ｉ）を値「０」にリセットする。このため、それ以前に移動局３及び基地局２の累積値ｆ（ｉ）の不一致が生じていても、累積値ｆ（ｉ）は再び一致する。その後のオペレーションＥＩ〜ＥＭにおいて、上述のオペレーションＥＢ〜ＥＦと同様に移動局３の送信電力の閉ループ制御が行われる。
【００９３】
本実施例によれば、このように判定部２９が累積値ｆ（ｉ）の不一致を検出しない場合であっても累積値ｆ（ｉ）の不一致が解消される。
【００９４】
以上の実施例を含む実施形態に関し、更に以下の付記を開示する。
（付記１）
移動局装置の送信電力の閉ループ制御のために前記移動局装置に送信される送信電力制御コマンドの累積値を保持する累積値記憶部と、
前記累積値記憶部に保持される累積値と、前記移動局装置に保持される送信電力制御コマンドの累積値と、の間の不一致を検出する検出部と、
前記不一致が検出された場合に、前記累積値記憶部に保持される累積値と前記移動局装置に保持される累積値とを同じ値に設定する累積値設定部と、
を備えることを特徴とする基地局装置。
（付記２）
前記検出部は、前記累積値記憶部に記憶される累積値が閾値を超える場合に、前記不一致を検出することを特徴とする付記１に記載の基地局装置。
（付記３）
前記検出部は、前記移動局装置の送信電力を増加させる送信電力制御コマンドの連続送信回数が閾値を超える場合に、又は前記移動局装置の送信電力を低減させる送信電力制御コマンドの連続送信回数が閾値を超える場合に、前記不一致を検出することを特徴とする付記１に記載の基地局装置。
（付記４）
前記累積値設定部は、前記移動局装置が保持する累積値を指定値に設定する信号を移動局装置に送信し、前記累積値記憶部に記憶される累積値を前記指定値に更新することを特徴とする付記１〜３のいずれか一項に記載の基地局装置。
（付記５）
前記累積値設定部は、上りリンクランダムアクセス手順の開始指示信号を前記移動局装置へ送信することを特徴とする付記１〜３のいずれか一項に記載の基地局装置。
（付記６）
前記累積値設定部は、前記不一致が検出された場合に代えて、又は加えて、周期的に前記累積値記憶部に保持される累積値と前記移動局装置に保持される累積値とを所定値に設定する付記１〜３のいずれか一項に記載の基地局装置。
（付記７）
前記累積値設定部は、累積値を設定する時期を示すタイミング情報を前記移動局に送信するタイミング情報送信部を備え、前記タイミング情報が示す時期に前記累積値記憶部に保持される累積値を所定値に設定することを特徴とする付記６に記載の基地局装置。
（付記８）
前記移動局装置と前記基地局装置との間のパスロスを算出するパスロス算出部と、
前記パスロスの変化が閾値以内の場合には、第１の送信電力制御コマンドを前記移動局装置へ送信し、前記パスロスの変化が閾値を超える場合には第２の送信制御コマンドを前記移動局装置へ送信するコマンド送信部と、を備え、
前記第１の送信電力制御コマンドは、前記移動局装置の送信電力の相対値な増減量を指定し、
前記第２の送信電力制御コマンドは、前記移動局装置に、前記移動局装置が保持する累積値を指定値に設定させ、この指定値及び前記移動局装置と前記基地局装置との間のパスロスに基づいて送信電力を設定させることを特徴とする付記１〜７のいずれか一項に記載の基地局装置。
（付記９）
移動局装置の送信電力の閉ループ制御のために前記移動局装置に送信する送信電力制御コマンドの累積値を記憶部に保持し、
前記記憶部に保持される累積値と、前記移動局装置に保持される送信電力制御コマンドの累積値との間の不一致を検出し、
前記不一致が検出された場合に前記記憶部に保持される累積値と前記移動局装置に保持される累積値とを同じ値に設定する、ことを特徴とする送信電力制御方法。
【符号の説明】
【００９５】
１    通信システム
２    基地局装置
３    移動局装置
２１    送信電力制御部
２６    パスロス算出部
２７    ＴＰＣコマンド生成部
２８    累積値記憶部
２９    判定部
【図１】
2013236122.tif 000003
【図２】
2013236122.tif 000004
【図３】
2013236122.tif 000005
【図４】
2013236122.tif 000006
【図５】
2013236122.tif 000007
【図６】
2013236122.tif 000008
【図７】
2013236122.tif 000009
【図８】
2013236122.tif 000010
【図９】
2013236122.tif 000011
【図１０】
2013236122.tif 000012
【図１１】
2013236122.tif 000013
【図１２】
2013236122.tif 000014
【図１３】
2013236122.tif 000015